【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
画像情報取得装置との接続を確立する、第１接続確立手段と、
接続された画像情報取得装置から、印刷シーケンスを用いて、印刷用の画像情報を受信する、画像情報受信手段と、
前記画像情報受信手段で受信した画像情報を、画像情報記憶部に格納する、第１格納手段と、
接続された画像情報取得装置から、印刷設定の指示に関する情報を含んでいる印刷指示ファイルを受信する、印刷指示ファイル受信手段と、
前記印刷指示ファイル受信手段で受信した印刷指示ファイルを、印刷指示ファイル記憶部に格納する、第２格納手段と、
プリンタとの接続を確立する、第２接続確立手段と、
前記印刷指示ファイル記憶部から前記印刷指示ファイルを取得する、印刷指示ファイル取得手段と、
接続されたプリンタへ、印刷シーケンスを用いて、前記印刷指示ファイル取得手段で取得した印刷指示ファイルに基づいて、前記画像情報記憶部に格納されている印刷用の画像情報を送信する、画像情報送信手段と、
を備え、
前記第２格納手段は、前記受信した印刷指示ファイルを、該印刷指示ファイルにおける画像のファイルのパスを変更して前記印刷指示ファイル記憶部に格納することを特徴とする画像情報格納装置。
【請求項２】
接続された画像情報取得装置から、印刷シーケンスを用いて、印刷用の画像情報の印刷枚数の設定を受信し、これを取得する、印刷枚数取得手段と、
前記印刷枚数取得手段で取得した印刷枚数に基づいて、前記画像情報受信手段で受信した画像情報を格納すべき前記画像情報記憶部内のフォルダを決定する、フォルダ決定手段と、
をさらに備えるとともに、
前記第１格納手段は、前記フォルダ決定手段で決定した前記画像情報記憶部内のフォルダに、前記画像情報受信手段で受信した画像情報を格納する、
ことを特徴とする請求項１に記載の画像情報格納装置。
【請求項３】
接続された画像情報取得装置から、印刷シーケンスを用いて、印刷用の画像情報の印刷モードの設定を受信し、これを取得する、印刷モード取得手段と、
前記印刷モード取得手段で取得した印刷モードの設定に基づいて、前記画像情報受信手段で受信した画像情報を格納すべき前記画像情報記憶部内のフォルダを決定する、フォルダ決定手段と、
をさらに備えるとともに、
前記第１格納手段は、前記フォルダ決定手段で決定した前記画像情報記憶部内のフォルダに、前記画像情報受信手段で受信した画像情報を格納する、
ことを特徴とする請求項１に記載の画像情報格納装置。
【請求項４】
前記フォルダ決定手段は、印刷モードのうち、フチのあり／なし、及び／又は、日付のあり／なしの設定に基づいて、前記画像情報受信手段で受信した画像情報を格納すべき前記画像情報記憶部内のフォルダを決定する、ことを特徴とする請求項３に記載の画像情報格納装置。
【請求項５】
前記フォルダ決定手段は、印刷モードのうち、印刷する用紙の種類の指定に基づいて、前記画像情報受信手段で受信した画像情報を格納すべき前記画像情報記憶部内のフォルダを決定する、ことを特徴とする請求項３に記載の画像情報格納装置。
【請求項６】
前記印刷指示ファイルはＤＰＯＦファイルである、ことを特徴とする請求項１乃至請求項５のいずれかに記載の画像情報格納装置。
【請求項７】
前記画像情報受信手段で受信される印刷用の画像情報は、ファイル形式である、ことを特徴とする請求項１乃至請求項６のいずれかに記載の画像情報格納装置。
【請求項８】
前記画像情報取得装置と当該画像情報格納装置との間は、無線により接続される、ことを特徴とする請求項１乃至請求項７のいずれかに記載の画像情報格納装置。
【請求項９】
画像情報取得装置との接続を確立するステップと、
接続された画像情報取得装置から、印刷シーケンスを用いて、印刷用の画像情報を受信するステップと、
前記受信した画像情報を、画像情報記憶部に格納するステップと、
接続された画像情報取得装置から、印刷設定の指示に関する情報を含んでいる印刷指示ファイルを受信するステップと、
前記受信した印刷指示ファイルを、印刷指示ファイル記憶部に格納するステップと、
プリンタとの接続を確立するステップと、
前記印刷指示ファイル記憶部から前記印刷指示ファイルを取得するステップと、
接続されたプリンタへ、印刷シーケンスを用いて、前記取得した印刷指示ファイルに基づいて、前記画像情報記憶部に格納されている印刷用の画像情報を送信するステップと、
を備え、
前記印刷指示ファイル記憶部に格納するステップは、前記受信した印刷指示ファイルを、該印刷指示ファイルにおける画像のファイルのパスを変更して前記印刷指示ファイル記憶部に格納することを特徴とする画像情報格納装置の制御方法。
【請求項１０】
画像情報取得装置と、この画像情報取得装置と接続される画像情報格納装置とを有する、画像情報通信システムであって、
前記画像情報取得装置は、
画像情報を取得する、画像情報取得手段と、
前記画像情報格納装置との接続を確立する、第１接続確立手段と、
接続された前記画像情報格納装置へ、印刷シーケンスを用いて、前記画像情報取得手段で取得した画像情報を、印刷用の画像情報として送信する、第１画像情報送信手段と、
接続された前記画像情報格納装置へ、印刷設定の指示に関する情報を含んでいる印刷指示ファイルを送信する、印刷指示ファイル送信手段と、
を備え、
前記画像情報格納装置は、
前記画像情報取得装置との接続を確立する、第２接続確立手段と、
接続された前記画像情報取得装置から送信された印刷用の画像情報を、印刷シーケンスを用いて受信する、画像情報受信手段と、
前記画像情報受信手段で受信した画像情報を、画像情報記憶部に格納する、格納手段と、
接続された画像情報取得装置から送信された前記印刷指示ファイルを受信する、印刷指示ファイル受信手段と、
前記印刷指示ファイル受信手段で受信した印刷指示ファイルを、印刷指示ファイル記憶部に格納する、第２格納手段と、
プリンタとの接続を確立する、第３接続確立手段と、
前記印刷指示ファイル記憶部から印刷指示ファイルを取得する、印刷指示ファイル取得手段と、
接続されたプリンタへ、印刷シーケンスを用いて、前記印刷指示ファイル取得手段で取得した印刷指示ファイルに基づいて、画像情報記憶部に格納されている印刷用の画像情報を送信する、第２画像情報送信手段と、
を備え、
前記第２格納手段は、前記受信した印刷指示ファイルを、該印刷指示ファイルにおける画像のファイルのパスを変更して前記印刷指示ファイル記憶部に格納するることを特徴とする画像情報通信システム。
【請求項１１】
画像情報取得装置と、この画像情報取得装置と接続される画像情報格納装置とを有する、画像情報通信システムの制御方法であって、
前記画像情報取得装置において、画像情報を取得するステップと、
前記画像情報取得装置と、前記画像情報格納装置との間の接続を確立するステップと、
前記画像情報取得装置から前記画像情報格納装置へ、印刷シーケンスを用いて、前記取得した画像情報を、印刷用の画像情報として送信するステップと、
前記画像情報取得装置から送信された印刷用の画像情報を、前記画像情報格納装置において、印刷シーケンスを用いて受信するステップと、
前記受信した画像情報を、前記画像情報格納装置の画像情報記憶部に格納するステップと、
前記画像情報取得装置から前記画像情報格納装置へ、印刷設定の指示に関する情報を含んでいる印刷指示ファイルを送信するステップと、
前記画像情報取得装置から送信された印刷指示ファイルを、前記画像情報格納装置において、受信するステップと、
前記受信した印刷指示ファイルを、前記画像情報格納装置の印刷指示ファイル記憶部に格納するステップと、
前記画像情報格納装置が、前記画像情報格納装置とプリンタとの間の接続を確立するステップと、
前記画像情報格納装置が、前記印刷指示ファイル記憶部から印刷指示ファイルを取得するステップと、
前記画像情報格納装置から前記プリンタへ、印刷シーケンスを用いて、前記取得した印刷指示ファイルに基づいて、画像情報記憶部に格納されている印刷用の画像情報を送信するステップと、
を備え、
前記印刷指示ファイル格納部に格納するステップは、前記受信した印刷指示ファイルを、該印刷指示ファイルにおける画像のファイルのパスを変更して前記印刷指示ファイル記憶部に格納するることを特徴とする画像情報通信システムの制御方法。